(57)【要約】【課題】ＤＶＤオーディオ（ＤＶＤ−Ａｕｄｉｏ）を再生する場合に、メモリーの容量を増大させることなくビデオゾーンのデータ（音楽）のみを再生することを可能にする。【解決手段】現在のＡＴＴ（サブグループ）の属性がオーディオゾーンであるか否かが判断され（Ｓ２）、オーディオゾーンではない（ビデオゾーンである）場合は、メモリーに記憶されている「ビデオゾーンを再生するか否か」の条件が判断される（Ｓ６）。当該条件が「再生する」である場合は現在のＡＴＴに属するトラックのデータが再生されるが（Ｓ７）、当該条件が「再生しない」である場合は現在のＡＴＴに属するトラックの再生がスキップされる（Ｓ８）。当該条件は所定の設定操作によりメモリーに設定される。【選択図】    図６
2005071415.tif 000002
【特許請求の範囲】
【請求項１】
ＤＶＤオーディオ（ＤＶＤ−Ａｕｄｉｏ）に記録されたオーディオおよびビデオのデータを再生可能なディスク再生装置であって、
ＤＶＤオーディオのデータを再生するデータ再生手段と、ＤＶＤオーディオのオーディオゾーンのデータを再生するか否か及びビデオゾーンのデータを再生するか否かの条件を記憶する記憶手段と、前記データ再生手段を制御する制御手段とを備え、
ＤＶＤオーディオのデータを再生する際に、前記制御手段は、再生するトラックが属するサブグループの管理情報から当該サブグループの属性がオーディオゾーンまたはビデオゾーンのいずれであるかを調べ、
当該属性がオーディオゾーンである場合、前記制御手段は、前記条件を調べ、前記条件が「オーディオゾーンのデータを再生する」であるときは、当該サブグループに属する１または複数のトラックのデータを再生するように前記データ再生手段を制御し、前記条件が「オーディオゾーンのデータを再生しない」であるときは、当該サブグループに属する１または複数のトラックの再生をスキップするように前記データ再生手段を制御し、
当該属性がビデオゾーンである場合、前記制御手段は、前記条件を調べ、前記条件が「ビデオゾーンのデータを再生する」であるときは、当該サブグループに属する１または複数のトラックのデータを再生するように前記データ再生手段を制御し、前記条件が「ビデオゾーンのデータを再生しない」であるときは、当該サブグループに属する１または複数のトラックの再生をスキップするように前記データ再生手段を制御することを特徴とするディスク再生装置。
【請求項２】
ＤＶＤオーディオ（ＤＶＤ−Ａｕｄｉｏ）に記録されたオーディオおよびビデオのデータを再生可能なディスク再生装置であって、
ＤＶＤオーディオのデータを再生するデータ再生手段と、ＤＶＤオーディオのデータの内、オーディオゾーンのデータのみを再生するか否かの条件を記憶する記憶手段と、前記データ再生手段を制御する制御手段とを備え、
ＤＶＤオーディオのデータを再生する際に、前記制御手段は、前記条件を調べ、前記条件がオーディオゾーンのデータのみの再生である場合、再生するトラックが属するサブグループの管理情報から当該サブグループの属性がオーディオゾーンまたはビデオゾーンのいずれであるかを調べ、当該属性がオーディオゾーンであるときは、当該サブグループに属する１または複数のトラックのデータを再生するように前記データ再生手段を制御し、当該属性がビデオゾーンであるときは、当該サブグループに属する１または複数のトラックの再生をスキップするように前記データ再生手段を制御することを特徴とするディスク再生装置。
【請求項３】
請求項２に記載のディスク再生装置において、前記記憶手段は不揮発性メモリーであり、前記条件は所定の設定操作によって前記メモリーに設定されることを特徴とするディスク再生装置。
【発明の詳細な説明】
【０００１】
【発明の属する技術分野】
本発明は、ＤＶＤオーディオ（ＤＶＤ−Ａｕｄｉｏ）に記録されたオーディオおよびビデオのデータを再生可能なディスク再生装置に関するものである。
【０００２】
【従来の技術】
従来、音楽はＣＤに記録されていたが、最近では記録密度の高いＤＶＤにも記録されている。また、ＤＶＤよりも良い音質で音楽を再生することのできるＤＶＤ−Ａｕｄｉｏ（以下、「ＤＶＤオーディオ」という」）も市場に登場している。ＤＶＤオーディオにはオーディオデータ（音声データ）以外のデータ（例えば、ＤＶＤオーディオの製作会社のロゴの画像、各種の動画、静止画等のデータ）も含まれているため、従来の再生装置は、ＤＶＤオーディオのオーディオデータのみならずオーディオデータ以外のデータも再生している。
【０００３】
特許文献１には、オーディオトラックとデータトラックとが混在するＣＤ−Ｒ中のオーディオトラックのみを再生するために、ＣＤ−ＲのＴＯＣ情報を読み出して各トラックがオーディオトラックまたはデータトラックのいずれであるかを識別し、オーディオトラックである場合にはＴＯＣ情報中の該当領域にスキップ情報をセットし、当該ＴＯＣ情報を元のＣＤ−Ｒに書き込み、ＣＤ−Ｒを再生するときには、当該ＴＯＣ情報中のスキップ情報に従ってデータトラックをスキップしてオーディオトラックのみを再生することが示されている。
【０００４】
特許文献２には、オーディオトラックとデータトラックとが混在するＲＯＭディスク中のオーディオトラックのみを再生するために、ＲＯＭディスクのＴＯＣ情報を読み出して各トラックがオーディオトラックまたはデータトラックのいずれであるかを識別し、オーディオトラックのトラック番号と演奏開始位置との対応を記憶するテーブルを作成し、ＲＯＭディスクを再生するときには、当該テーブルを参照してオーディオトラックのみを再生することが示されている。
【０００５】
【特許文献１】
特開２００２−１７７６５１号公報（段落００２８〜段落００４２）
【特許文献２】
特開２００１−１０１７７２号公報（段落０００８〜段落０００９）
【０００６】
【発明が解決しようとする課題】
しかしながら、上記従来のものにおいては、オーディオデータ以外のデータも再生されてしまうので、ＤＶＤオーディオの提供する音質の良い音楽をのみを鑑賞したい視聴者にとっては、音楽のみを存分に楽しむことができないという問題がある。また、特許文献１のものにおいては、リードオンリータイプの記録媒体には適用できないという問題がある。特許文献２のものにおいては、全てのオーディオトラックの番号と演奏開始位置との対応を記憶する大きなテーブルを作成するので、メモリーの記憶容量が大幅に増大するという問題がある。また、常にオーディオトラックのみが再生されるので、オーディオデータと共にオーディオデータ以外の映像データを鑑賞することができなくなるという問題がある。
【０００７】
本発明は、上記問題点を解決するものであって、その課題とするところは、メモリーの容量を大幅に増大させることなく、ＤＶＤオーディオのオーディオゾーンのデータのみを再生することが可能なディスク再生装置を提供することにある。
【０００８】
【課題を解決するための手段】
本発明では、ＤＶＤオーディオ（ＤＶＤ−Ａｕｄｉｏ）のデータを再生可能なディスク再生装置において、ＤＶＤオーディオのデータを再生するデータ再生手段と、ＤＶＤオーディオのオーディオゾーンのデータを再生するか否か及びビデオゾーンのデータを再生するか否かの条件を記憶する記憶手段と、データ再生手段を制御する制御手段とを備える。ＤＶＤオーディオのデータを再生する際に、制御手段は、再生するトラックが属するサブグループの管理情報から当該サブグループの属性がオーディオゾーンまたはビデオゾーンのいずれであるかを調べる。当該属性がオーディオゾーンである場合、制御手段は、オーディオゾーンのデータを再生するか否かの条件に従って、当該サブグループに属する１または複数のトラックのデータを再生するか、または再生をスキップするようにデータ再生手段を制御する。また、当該属性がビデオゾーンである場合、制御手段は、ビデオゾーンのデータを再生するか否かの条件に従って、当該サブグループに属する１または複数のトラックのデータを再生するか、または再生をスキップするようにデータ再生手段を制御する。尚、オーディオゾーンのデータのみを再生するという条件は、オーディオゾーンのデータを再生し、ビデオゾーンのデータを再生しないという条件と等価である。
【０００９】
このようにすることで、オーディオゾーンに属するトラックのみ、ビデオゾーンに属するトラックのみ、またはオーディオゾーンもしくはビデオゾーンに属するトラックのいずれかを再生することが可能となる。この際、いずれのゾーンに属するトラックが再生されるか否かは、記憶手段に記憶されている条件によって決められる。これにより、ＤＶＤオーディオに記録されているビデオゾーンのデータを再生することなくオーディオゾーンに記録されている音楽のみを再生したい場合には、オーディオゾーンのデータのみを再生するという条件を記憶手段に記憶させることにより、音楽好きの視聴者は高音質の音楽のみを存分に楽しむことができる。また、全てのオーディオトラックの番号と演奏開始位置との対応を記憶する大きなテーブルを作成する必要がないので、記憶手段が大容量化することもない。
【００１０】
また、本発明では、ＤＶＤオーディオ（ＤＶＤ−Ａｕｄｉｏ）データを再生可能なディスク再生装置において、ＤＶＤオーディオのデータを再生するデータ再生手段と、ＤＶＤオーディオのデータの内、オーディオゾーンのデータのみを再生するか否かの条件を記憶する記憶手段と、データ再生手段を制御する制御手段とを備える。ＤＶＤオーディオのデータを再生する際に、制御手段は、条件を調べ、条件がオーディオゾーンのデータのみの再生である場合、再生するトラックが属するサブグループの管理情報から当該サブグループの属性がオーディオゾーンまたはビデオゾーンのいずれであるかを調べ、当該属性がオーディオゾーンであるときは、当該サブグループに属する１または複数のトラックのデータを再生するようにデータ再生手段を制御する。また、当該属性がビデオゾーンであるときは、当該サブグループに属する１または複数のトラックの再生をスキップするようにデータ再生手段を制御する。
【００１１】
このようにすることで、全てのオーディオトラックの番号と演奏開始位置との対応を記憶する大きなテーブルを作成しなくても、オーディオゾーンに属するトラックのみを再生することが可能となる。この際、オーディオゾーンに属するデータのみを再生するか否かは、記憶手段に記憶されている条件によって決められる。これにより、条件をオーディオゾーンのデータのみを再生するとすれば、ＤＶＤオーディオに記録されているビデオゾーンのデータを再生することなくオーディオゾーンに記録されている音楽のみを再生することができ、音楽好きの視聴者は高音質の音楽のみを存分に楽しむことができる。
【００１２】
本発明においては、記憶手段は不揮発性メモリーであり、前記条件は所定の設定操作によって記憶部に設定される。このようにすることで、ディスク再生装置の電源が入り切りされても、記憶された条件は保存される。また、新たな設定操作が行われない限り、記憶された条件は保存される。これにより、例えば、視聴者がオーディオゾーンのみを再生するように一度設定操作を行えば、ＤＶＤオーディオを再生する際には、特別な操作をすることなくオーディオゾーンに記録されている音楽のみが再生される。
【００１３】
【発明の実施の形態】
図１は、本発明に係るディスク再生装置１のブロック図である。このディスク再生装置１は、映像（ビデオ）および／または音声（オーディオ）の記録されたＤＶＤ、ＣＤ、ＶＣＤ（ビデオＣＤ）、ＤＶＤ−Ａｕｄｉｏ（以下、「ＤＶＤオーディオ」という）等の各種の記録媒体であるディスク１０のデータを再生する。
【００１４】
再生部１６は、ディスク１０を戴置して搬入出するためのトレイ、ディスク１０のデータを再生するための再生ヘッド、再生の際にディスク１０を回転させるための回転駆動機構、および再生ヘッドをディスク１０の径方向に移動させる移動機構等から構成される。また、再生部１６にはセンサが設けられており、ＣＰＵ１１からディスク１０の有無、トレイのオープン状態等を調べることができるようになっている。再生部１６で再生されたディスク１０のデータは、再生信号処理部１７で音声データ、映像データごとに復号化され、夫々Ｄ／Ａ変換される。Ｄ／Ａ変換された音声信号は、音声出力装置２１（例えば、オーディオセット、テレビジョン受像機の音声出力部等）に送られる。Ｄ／Ａ変換された映像信号は、ＯＳＤ処理部１８を経由して表示装置２２（例えば、モニタ、テレビジョン受像機の表示部）に送られる。
【００１５】
本ディスク再生装置１は、ディスク１０の有無、トレイのオープン状態等を視聴者に知らせるために各種メッセージを表示装置２２に表示するオンスクリーン表示（以下、ＯＳＤという）機能を備えている。メモリー１２から読み出されたＯＳＤのデータは、場合によってはＣＰＵ１１によって部分的に加工され、ＣＰＵ１１を介してＯＳＤ処理部１８に送られ、そこでディスク１０の再生データに重畳されて表示装置２２に送られる。
【００１６】
ＣＰＵ１１には、メモリー１２、操作部１３、および受信部１４が接続されている。メモリー１２には、ディスク再生装置１の動作を制御するためのプログラム、上述のＯＳＤデータ、および各種の制御データ等が格納されている。メモリー１２はＣＰＵ１１の演算作業領域としても使用される。また、本ディスク再生装置１の不図示の前面パネルに設けられた操作部１３には、ディスク１０の再生の開始、再生の一時停止等の基本的な操作を行うための「再生」キー、「一時停止」キー等が備えられている。リモートコントローラ１５には、上記の基本的な操作を行うキー以外にも多数のキー（例えば、「カーソル」キー、「決定」キー、「戻る」キー、「メニュー」キー、「セットアップ」キー等）が設けられている。リモートコントローラ１５の各キーの信号は、光信号として受信部１４に送られる。操作部１３またはリモートコントローラ１５のいずれかのキーが押されると、当該キーの種類に応じた処理がＣＰＵ１１によって実行される。
【００１７】
図２は、ＤＶＤオーディオのデータ構造を階層的に示した図である。図２（ａ）は最上位階層を示しており、最上位階層は１つのディスク管理領域と少なくとも１つのグループとから構成される。各グループは番号で特定され、最初のグループの番号は１であり、グループの番号は順番に１つずつ大きくなっていく。図２（ａ）では５つのグループ（グループ＃１〜グループ＃５）が示されている。ここでいうグループとは、複数の曲から構成されるものであって、例えば、それらを歌手別、年代別等のルールでグループ化したものに相当する。
【００１８】
図２（ｂ）は第２階層を示しており、ここではグループ＃１に属する３つのＡＴＴ（ＡＴＴ＃１〜ＡＴＴ＃３、ＡＴＴは「サブグループ」ともいう）が示されている。各ＡＴＴの先頭には管理領域が配される。各ＡＴＴは番号で特定され、ＤＶＤオーディオの最初のＡＴＴの番号は１であり、ＡＴＴの番号は順番に１つずつ大きくなっていく。従って、グループ＃２に属する最初のＡＴＴの番号は４となる。また、各グループは少なくとも１つのＡＴＴを含む。
【００１９】
図２（ｃ）は第３階層を示しており、ここではＡＴＴ＃１〜ＡＴＴ＃３に属する６つのトラック（トラック＃１〜トラック＃６）が示されている。各トラックは番号で特定され、ＤＶＤオーディオの最初のトラックの番号は１であり、トラックの番号は順番に１つずつ大きくなっていく。従って、ＡＴＴ＃４に属する最初のトラックの番号は７となる。また、各ＡＴＴは少なくとも１つのトラックを含む。尚、上記グループとトラックとは視聴者からアクセス可能な単位であり、グループの番号またはトラックの番号を指定して、指定された範囲でＤＶＤオーディオの再生を行うことができる。それに対して、ＡＴＴは１つまたは複数のトラックを管理するための管理単位であって、サブグループ的なものである。
【００２０】
図３は、管理領域に格納されている管理データを示す図である。図３（ａ）はディスク管理領域に格納されている管理データを示す図である。「ＡＴＴ個数」はディスク１０に含まれる全てのＡＴＴの個数であり、ここではＡＴＴの個数をｎ個としている。「ＡＴＴ＃１ポインタ」〜「ＡＴＴ＃ｎポインタ」（以下、「ＡＴＴポインタ」という）は、ディスク１０上のｎ個の各ＡＴＴの先頭アドレスを指すポインタである。
【００２１】
図３（ｂ）は各ＡＴＴの管理領域に格納されている管理データを示す図である。「オーディオゾーン／ビデオゾーン」は、当該ＡＴＴの属性を示すもの、つまり、当該ＡＴＴに属するトラックのデータの種類を示すものである。その内容が「オーディオゾーン」となっているときは、当該ＡＴＴに属するトラックのデータがＤＶＤオーディオ規格にかかるオーディオデータであることを示す。その内容が「ビデオゾーン」となっているときは、当該ＡＴＴに属するトラックのデータがＤＶＤオーディオ規格にかかるオーディオデータ以外のデータ（例えば、ＤＶＤオーディオの製作会社のロゴの画像、各種の動画、静止画等のデータ）であることを示す。「所属グループ番号」は、当該ＡＴＴが属するグループの番号を示す。例えば、図２に示されるＡＴＴ＃３の「所属グループ番号」には、グループ＃１を示す１が設定されている。
【００２２】
「トラック個数」は、当該ＡＴＴに属するトラックの個数を示す。ここではトラックの個数をｍ個としている。「トラック＃１ポインタ」〜「トラック＃ｍポインタ」（以下、「トラックポインタ」という）は、ディスク１０上のｍ個の各トラックの先頭アドレスを指すポインタである。例えば、図２に示されるＡＴＴ＃３の「トラック個数」は２であり、トラック＃１ポインタおよびトラック＃２ポインタは夫々トラック＃５およびトラック＃６の先頭アドレスを指すように設定されている。
【００２３】
図４は、ＤＶＤオーディオを再生するためのメニュー画面の一例を示す図である。ＤＶＤオーディオが再生部１６のトレイにセットされている状態でリモートコントローラ１５の「メニュー」キーが押されると、図４（ａ）に示される第１メニュー画面３１が表示装置２２に表示される。図中の斜線部は背景画像である。リモートコントローラ１５の「カーソル」キーが操作されて「プレイリスト」が選択されている状態でリモートコントローラ１５の「決定」キーが押されると、図４（ｂ）に示される第２メニュー画面３２が表示される。尚、第１メニュー画面３１において、リモートコントローラ１５の「戻る」キーが押されると第１メニュー画面３１は消滅する。
【００２４】
第２メニュー画面３２においては、リモートコントローラ１５の「カーソル」キーが操作されることにより、「全グループ」または「グループ＃１」〜「グループ＃５」のいずれかが選択される。ここで、「全グループ」は、全てのグループのデータを再生することを意味する。「グループ＃１」〜「グループ＃５」は、選択（指定）されたグループのデータのみを再生することを意味する。いずれかが選択された状態でリモートコントローラ１５の「決定」キーが押されると、図４（ｃ）に示される第３メニュー画面３３が表示される。尚、第２メニュー画面３２において、リモートコントローラ１５の「戻る」キーが押されると第１メニュー画面３１に戻る。
【００２５】
第３メニュー画面３３においては、リモートコントローラ１５の「カーソル」キーが操作されることにより、「リピートする」または「リピートしない」のいずれかが選択される。リピートとは、第２メニュー画面３２において選択された再生対象のデータの再生が終了した後に再生対象のデータを繰り返して再生することをいう。いずれかが選択された後にリモートコントローラ１５の「決定」キーが押されると、本発明にかかるＤＶＤオーディオの再生のプログラムの実行が開始される。プログラムの実行については後述する。尚、第３メニュー画面３３において、リモートコントローラ１５の「戻る」キーが押されると第２メニュー画面３２に戻る。
【００２６】
図５は、設定画面の一例を示す図である。リモートコントローラ１５の「セットアップ」キーが押されると、図５（ａ）に示される第１設定画面３４が表示装置２２に表示される。ここで、リモートコントローラ１５の「カーソル」キーが操作されて「ＤＶＤ−Ａｕｄｉｏの再生の設定」が選択されている状態でリモートコントローラ１５の「決定」キーが押されると、図５（ｂ）に示される第２設定画面３５が表示される。尚、第１設定画面３４において、リモートコントローラ１５の「戻る」キーが押されると第１設定画面３４は消滅する。
【００２７】
第２設定画面３５においては、「カーソル」キーが操作されることにより、「オーディオゾーンのみを再生」、「ビデオゾーンのみを再生」または「両方を再生」のいずれかが選択される。いずれかが選択された状態で「決定」キーが押されると、選択されていた内容に関するデータがメモリー１２に記憶される。ＤＶＤオーディオの再生が行われる際には、このデータ（以下、「オーディオ／ビデオ再生指定データ」という）に基づいてオーディオゾーンのデータの再生を行うか否か、およびビデオゾーンのデータの再生を行うか否かが判断される。尚、第２設定画面３５において、リモートコントローラ１５の「戻る」キーが押されると第１設定画面３４に戻る。また、ＤＶＤオーディオは音質の良い音楽を楽しむものであるので、上記の「ビデオゾーンのみ再生」が選択されることは少ないと考えられる。ここで説明された「オーディオ／ビデオ再生指定データ」をメモリー１２に記憶させる操作が本発明の所定の設定操作に相当する。
【００２８】
図６は、全グループのデータの再生を行うときの動作を示すフローチャートである。このプログラムは、図４（ｂ）に示される「全グループ」が選択されていた場合に起動され、リピートをするか否かのデータが引数として呼び出し元から渡される。まず、メモリー１２に現在のＡＴＴ番号を記憶する領域を確保し、そこに１を設定する。つまり、現在のＡＴＴの番号を１に設定する（Ｓ１）。
【００２９】
次に、ＡＴＴポインタ（図３（ａ）参照）で指されるアドレスにある「オーディオゾーン／ビデオゾーン」（図３（ｂ）参照）の内容を調べることにより、現在のＡＴＴがオーディオゾーンであるか否かが判断される（Ｓ２）。ここで、現在のＡＴＴの番号が１である場合はＡＴＴ＃１ポインタが使用され、現在のＡＴＴの番号がｎである場合はＡＴＴ＃ｎポインタが使用される。オーディオゾーンであると判断された場合は、メモリー１２に記憶されている「オーディオ／ビデオ再生指定データ」を調べることにより、オーディオゾーンを再生するか否かが判断される（Ｓ３）。オーディオゾーンを再生すると判断された場合は、現在のＡＴＴに属するトラックのデータの再生を行った（Ｓ４）後に、Ｓ９に進む。オーディオゾーンを再生しないと判断された場合は、現在のＡＴＴに属するトラックの再生をスキップした（飛ばした）（Ｓ５）後に、Ｓ９に進む。
【００３０】
現在のＡＴＴに属するトラックのデータの再生を行う際には、「トラックの個数」および「トラックポインタ」（図３（ｂ）参照）が使用される。これにより、現在のＡＴＴに属する最初のトラックから最後のトラックまでの各トラックの先頭アドレスが得られ、当該アドレスから順次データの再生が行われる。このとき、再生されているグループの番号およびトラックの番号をＯＳＤとして表示装置２２に表示するようにしてもよい。
【００３１】
Ｓ２で現在のＡＴＴがオーディオゾーンではないと判断された場合は（この場合、現在のＡＴＴはビデオゾーンである）、メモリー１２に記憶されている「オーディオ／ビデオ再生指定データ」を調べることにより、ビデオゾーンを再生するか否かが判断される（Ｓ６）。ビデオゾーンを再生すると判断された場合は、現在のＡＴＴに属するトラックのデータの再生を行った（Ｓ７）後に、Ｓ９に進む。ビデオゾーンを再生しないと判断された場合は、現在のＡＴＴに属するトラックの再生をスキップした（飛ばした）（Ｓ８）後に、Ｓ９に進む。
【００３２】
Ｓ９では、「ＡＴＴの個数」（図３（ａ）参照）の内容と現在のＡＴＴの番号とを比較することにより、現在のＡＴＴが最後のＡＴＴであるか否かが判断される（Ｓ９）。最後のＡＴＴではないと判断された場合は、現在のＡＴＴの番号を１つ増やして（Ｓ１０）、Ｓ２に戻る。これにより、次の番号のＡＴＴの再生が行われる。最後のＡＴＴであると判断された場合は、呼び出し元から渡された引数を調べることにより、リピート（再生を繰り返すこと）を行うか否かが判断され（Ｓ１１）、リピートを行う場合はＳ１に戻る。これにより、番号１のＡＴＴからの再生が繰り返される。リピートを行わない場合は、再生動作を停止して（Ｓ１２）、呼び出し元に戻る。尚、図６では再生動作中に「一時停止」キー等が押されたときの動作の図示は省略されているが、例えば、「一時停止」キーが押された場合には、再生動作が一時的に停止されるのは勿論である。この点は次の図７でも同様である。
【００３３】
上記の場合において、第２設定画面３５での操作により「オーディオゾーンのみを再生」に設定しておけば、ビデオゾーンの再生がスキップされ（Ｓ８）、オーディオゾーンのデータのみが再生される（Ｓ４）ので、視聴者は良い音質の音楽のみを存分に楽しむことができる。また、上記の設定された条件を記憶するメモリー１２が不揮発性であれば、電源を入り切りするたびに第２設定画面３５での設定操作を行う必要がないので、常にオーディオゾーンの再生のみを行いたい視聴者を設定操作の煩わしさから解放する。それに対し、設定画面３５で「両方を再生」に設定しておけば、ビデオゾーンのビデオデータを鑑賞しつつ、良い音質の音楽を楽しむこともできる。また、上記の場合において、第３メニュー画面３３で「リピートする」を選択しておけば、ＤＶＤオーディオに記録されている全てのオーディオデータを繰り返し楽しむことができる。ここで、メモリー１２にはオーディオ／ビデオ再生指定データを条件として記憶させるだけでよいので、全てのオーディオトラックの番号と演奏開始位置との対応を記憶する大きなテーブルは不要となり、メモリー１２は小容量のもので済む。
【００３４】
図７は、指定されたグループの再生を行うときの動作を示すフローチャートである。このプログラムは、図４（ｂ）に示される「グループ＃１」〜「グループ＃５」のいずれかが選択されていた場合に起動され、指定されたグループの番号とリピートをするか否かのデータとが引数として呼び出し元から渡される。まず、指定されたグループの番号から当該グループに属する最初のＡＴＴの番号を求めて、これを現在のＡＴＴの番号としてメモリー１２に記憶させる（Ｓ２１）。上記の演算は以下のように行われる。ＡＴＴ＃１ポインタ（図３（ａ）参照）から順番に各ＡＴＴポインタで指されるＡＴＴの管理領域に格納されている「所属グループ番号」（図３（ｂ）参照）に設定されている値を得る。この値と指定されたグループの番号とを比較し、最初に一致したときのＡＴＴの番号を指定されたグループに属する最初のＡＴＴの番号とする。
【００３５】
Ｓ２１が実行された後、Ｓ２２〜Ｓ２８が実行されてＳ２９に進む。Ｓ２２〜Ｓ２８の内容は図６のＳ２〜Ｓ８と同じであるので、説明を省略する。Ｓ２９では、現在のＡＴＴの番号を１つ増やす。次に、現在のＡＴＴが属するグループが指定されたグループと同じであるか否かが判断され（Ｓ３０）、同じである場合は、Ｓ２２に戻る。これにより、指定されたグループに属する次のＡＴＴに属するトラックの再生が行われることになる。
【００３６】
Ｓ３０でＮＯと判断された場合は、指定されたグループの再生は終了しているので、呼び出し元から渡された引数を調べることにより、リピート（再生を繰り返すこと）を行うか否かが判断され（Ｓ３１）、リピートを行う場合はＳ２１に戻る。これにより、指定されたグループに属する最初のＡＴＴに属するトラックからの再生が繰り返される。リピートを行わない場合は、再生動作を停止して（Ｓ３２）、呼び出し元に戻る。
【００３７】
以上述べた実施形態においては、ディスク再生装置１が再生専用機である場合について説明したが、本発明はディスクに対して記録と再生の両方が行える装置や、ディスク装置一体型テレビジョン受像機等にも適用することができる。また、上記実施形態では、メモリー１２が１つである場合について示したが、上記の「オーディオ／ビデオ再生指定データ」を不揮発性の第１メモリーに記憶させ、揮発性の第２メモリーにＣＰＵ１１の演算作業領域を確保するようにしてもよい。
【００３８】
さらに、上記実施形態では、第２設定画面３５で「オーディオゾーンのみを再生」等の条件を設定するようにしたが、これと異なる操作方法で設定することもできる。例えば、リモートコントローラに「オーディオのみ再生」キーと「オーディオおよびビデオ再生」キーを設け、いずれかのキーが押されるたびにメモリー１２に「オーディオゾーンのみを再生」等の条件を設定するようにしてもよい。また、以下のようにすることもできる。第３メニュー画面３３においてリモートコントローラ１５の「決定」キーが押されたときに第２設定画面３５と同様な第４のメニュー画面を表示し、「オーディオゾーンのみを再生」等のいずれかが選択された状態でリモートコントローラ１５の「決定」キーが押されたときに再生プログラムの実行が開始されるようにしてもよい。この方法では、常にオーディオゾーンのみを再生したいような場合には操作が煩雑になるが、再生する対象を頻繁に変更する場合には不都合はない。
【００３９】
【発明の効果】
本発明によれば、ＤＶＤオーディオに記録されているビデオゾーンのデータを再生することなくオーディオゾーンに記録されている音楽のみを再生することが可能となり、音楽好きの視聴者は高音質の音楽のみを存分に楽しむことができる。
【図面の簡単な説明】
【図１】本発明に係るディスク再生装置のブロック図である。
【図２】ＤＶＤオーディオのデータ構造を階層的に示した図である。
【図３】管理領域に格納されている管理データを示す図である。
【図４】ＤＶＤオーディオを再生するためのメニュー画面の一例を示す図である。
【図５】設定画面の一例を示す図である。
【図６】全グループの再生を行うときの動作を示すフローチャートである。
【図７】指定されたグループの再生を行うときの動作を示すフローチャートである。
【符号の説明】
１    ディスク再生装置
１０  ディスク
１１  ＣＰＵ（制御手段）
１２  メモリー（記憶手段）
１６  再生部（データ再生手段）
１７  再生信号処理部（データ再生手段）
２１  音声出力装置
２２  表示装置
３１  第１メニュー画面
３２  第２メニュー画面
３３  第３メニュー画面
３４  第１設定画面
３５  第２設定画面
【図１】
2005071415.tif 000003
【図２】
2005071415.tif 000004
【図３】
2005071415.tif 000005
【図４】
2005071415.tif 000006
【図５】
2005071415.tif 000007
【図６】
2005071415.tif 000008
【図７】
2005071415.tif 000009